(57)【特許請求の範囲】
【請求項１】
送風機と、フードと、引っ掛け部を有した整流板と、を備えたレンジフードにおいて、
前記引っ掛け部を保持する整流板保持部と、
前記整流板保持部の上部に設けられる回転軸と、
前記整流板保持部に反発力を付加するばねと、
前記整流板保持部と前記回転軸と前記ばねとを保持するカバーと、を備え、
前記整流板保持部は、上面部と、接続部と、ストッパーと、を有し、
前記上面部は、前記整流板に平行な面であって前記引っ掛け部を保持し、
前記接続部は、前記上面部と前記ストッパーとを接続する斜面であって、
前記回転軸は、前記接続部を前記フードの内側方向に向かって押すと回転し、
前記ストッパーは、
前記引っ掛け部が前記上面部に保持されている状態において、下方向への荷重が加わると前記カバーの下端と接触し、
前記回転軸の回転により前記フードの内側に向かって回転することを特徴とするレンジフード。
【請求項２】
ストッパーの形状を、フードの内側から外側下方に向かって傾斜した平面としたことを特徴とする請求項１に記載のレンジフード。
【発明の詳細な説明】
【技術分野】
【０００１】
本発明は、調理機器の上方に設置され、調理時に発生する油煙を捕集して屋外に排気す
るレンジフードの整流板の取り付け構造に関するものである。
【背景技術】
【０００２】
従来、この種のレンジフードの整流板の取り付け構造は、可動突起部を設けた係止部と、他方に設けた被係止部が係止及びその解除作業をするレンジフードが知られている（例えば、特許文献１参照）。
【０００３】
以下、特許文献１に記載のレンジフードについて図５を参照しながら説明する。
【０００４】
図５に示すように、整流板１０１、フード１０２の何れか一方の複数個所にばね１０３で付勢され軸部先端に拡大頭部１０４を有する可動突起１０７を設ける一方、他方に、軸部１０６に交差状に係止する被係止体１０５を設けたものである。
【先行技術文献】
【特許文献】
【０００５】
【特許文献１】特開２００３−２４０３００号公報
【発明の概要】
【発明が解決しようとする課題】
【０００６】
このような従来のレンジフードにおいては、整流板を保持する可動突起部すなわち整流板保持部は、整流板の着脱方向に対して垂直方向へ可動することにより整流板の引っ掛け部を可動突起部から着脱する機構であり、そのため、整流板の取り外しの際に可動突起部を奥まで押し込んでから外す必要があり取り外しがしにくい、という課題を有していた。
【０００７】
そこで本発明は、上記従来の課題を解決するものであり、整流板保持部の保持状態で整流板が確実に保持されるとともに整流板を整流板保持部から容易に外すことができるレンジフードを提供することを目的とする。
【課題を解決するための手段】
【０００８】
そして、この目的を達成するために、本発明の一態様に係るレンジフードは、送風機と、フードと、引っ掛け部を有した整流板と、を備えたレンジフードにおいて、前記引っ掛け部を保持する整流板保持部と、前記整流板保持部の上部に設けられる回転軸と、前記整流板保持部に反発力を付加するばねと、前記整流板保持部と前記回転軸と前記ばねとを保持するカバーと、を備え、前記整流板保持部は、上面部と、接続部と、ストッパーと、を有し、前記上面部は、前記整流板に平行な面であって前記引っ掛け部を保持し、前記接続部は、前記上面部と前記ストッパーとを接続する斜面であって、前記回転軸は、前記接続部を前記フードの内側方向に向かって押すと回転し、前記ストッパーは、前記引っ掛け部が前記上面部に保持されている状態において、下方向への荷重が加わると前記カバーの下端と接触し、前記回転軸の回転により前記フードの内側に向かって回転することとしたものであり、これにより所期の目的を達成するものである。
【発明の効果】
【０００９】
本発明によれば、整流板保持状態で下方向に荷重が加わると、ストッパーはカバー下端に干渉し、また、整流板取り外しの際には、整流板保持部を取り外しする方向（整流板を外す際に荷重を付加する方向）に回転軸を中心に回転させ、引っ掛け部と整流板保持部を取り外しさせることとなるので、整流板保持部の保持状態では整流板は整流板保持部に対し確実に保持されるとともに整流板の取り外し時には整流板を整流板保持部から容易に取り外すことができる、という効果を得ることができる。
【図面の簡単な説明】
【００１０】
【図１】本発明の実施の形態１のレンジフードの下方から見た斜視図
【図２】同レンジフードの整流板固定部の正面から見た断面を示す図
【図３】同レンジフードの整流板保持部に加わる荷重を付加した正面から見た断面を示す図
【図４】本発明の実施の形態２のレンジフードの整流板固定部の正面から見た断面を示す図
【図５】従来のレンジフードの整流板固定部の正面から見た断面を示す図
【発明を実施するための形態】
【００１１】
本発明の一態様に係るレンジフードは、送風機とフードと引っ掛け部を有した整流板とを備えたレンジフードにおいて、前記整流板の前記引っ掛け部を保持する整流板保持部と、前記整流板保持部の上部に前記整流板保持部の回転を支持する回転軸と、前記整流板保持部に反発力を付加するばねと、前記整流板保持部と前記回転軸と前記ばねとを保持するカバーで構成され、前記整流板保持部の下端にストッパーを設けた、という構成にしたことにより、整流板保持状態では、ストッパーはカバー下端に干渉し、また、整流板取り外しの際には、整流板保持部を取り外しする方向（整流板を外す際に荷重を付加する方向）に回転軸を中心に回転させ、引っ掛け部と整流板保持部を取り外しさせることとなるので、整流板保持部の保持状態では整流板は整流板保持部に対し確実に保持されるとともに整流板の取り外し時には整流板を整流板保持部から容易に外すことができる、という効果を奏する。
【００１２】
また、ストッパーの形状を、フードの内側から外側下方に向かって傾斜した平面とした、という構成にしてもよい。これにより、傾斜がカバー下端に干渉することとなるので、容易にストッパーを作製しつつ整流板保持部の保持状態で整流板が確実に保持されるとともに整流板を整流板保持部から容易に取り外すことができる、という効果を奏する。
【００１３】
以下、本発明の実施の形態について図面を参照しながら説明する。
【００１４】
（実施の形態１）
図１、図２に示すように、加熱調理機器（図示せず）の上部に取り付けられ、送風機１と下方に開口する例えば逆お椀状（下方に凹状を有している）のフード２と引っ掛け部３を有した整流板４とを備えたレンジフードにおいて、整流板４の引っ掛け部３を保持する整流板保持部６と、整流板保持部６の上部に整流板保持部６の回転を支持する回転軸７と、整流板保持部６にフード２の外側方向に反発力を付加するばね８と、整流板保持部６と回転軸７とばね８とを、整流板保持部６とばね８が、回転軸７を同一回転軸として保持するカバー９で構成された整流板固定部５を有し、整流板保持部６の下端にストッパー１０を設ける。尚、記号を付さないが、整流板保持部６の回転軸７との固定部は、Ｕ字形状とする。このような構成によれば、整流板４の引っ掛け部３の整流板保持部６への保持状態では、ストッパー１０はカバー９の下端に干渉し、また、整流板取り外しの際には、整流板保持部６を指でフード２の内側方向へ押動するが、ストッパー１０は、カバー９の下端に乗り上げた後、整流板保持部６が取り外しする方向（整流板を外す際に荷重を付加する方向）に回転軸７を中心に回転され、引っ掛け部３と整流板保持部６を取り外しさせることとなるので、整流板保持部６の保持状態では整流板４は整流板保持部６に対し確実に保持されるとともに、整流板の取り外し時には、整流板４を整流板保持部６から容易に外すことができる、という効果を奏する。
【００１５】
また、図２に示すように、ストッパー１０の形状を、整流板保持部６の下端からフード２の内側から外側下方に向かって傾斜した平面１１とした、という構成にしてもよい。尚、傾斜した平面１１の水平面に対する角度は、整流板の保持強度と整流板の取り外し性に影響するが、水平面から約７°に設定することが望ましい。これにより、傾斜した平面１
１がカバー９の下端に干渉することとなるので、容易にストッパー１０を作製しつつ整流板保持部６の保持状態で整流板４が確実に保持されるとともに整流板４を整流板保持部６から容易に外すことができる、という効果を奏する。
【００１６】
整流板４の引っ掛け部３の整流板保持部６への保持状態、および整流板４を整流板保持部６から取り外し時に整流板保持部６に加わる荷重について、図３を用いて説明する。
【００１７】
整流板４の下方への引っ張り荷重である荷重１２は、回転軸７を中心とした回転トルクを生じるが、対して、ストッパー１０にかかる静止摩擦荷重１３によるトルクが上回り、整流板保持状態では、整流板保持部６は回転しないが、取り外し時には、整流板保持部６に押動荷重１４を付加することにより、静止摩擦荷重１３に対抗して、整流板保持部６が回転する。
【００１８】
（実施の形態２）
図４に示すように、実施の形態１に記載のストッパー１０を、突起形状１５としたものである。
【００１９】
このような構成によれば、整流板保持状態では、突起形状１５はカバー９の下端に干渉し、また、整流板の取り外しの際には、整流板保持部６を指でフードの内側方向へ押動しながら、整流板保持部６を取り外しする方向（整流板を外す際に荷重を付加する方向）に回転軸７を中心に回転させ、引っ掛け部３と整流板保持部６を取り外しさせることとなるので、整流板保持部６の保持状態では整流板４は整流板保持部６に対しより確実に保持されるとともに整流板の取り外し時には、整流板４を整流板保持部６から容易に取り外すことができる、という効果を奏する。
【産業上の利用可能性】
【００２０】
本発明にかかるレンジフードは、整流板保持部の保持状態で整流板が確実に保持されるとともに整流板を整流板保持部から容易に取り外すことができることを可能とするものであるので、取り外し機構を有する産業用機器等として有用である。
【符号の説明】
【００２１】
１    送風機
２    フード
３    引っ掛け部
４    整流板
５    整流板固定部
６    整流板保持部
７    回転軸
８    ばね
９    カバー
１０  ストッパー
１１  傾斜した平面
１２  引っ張りによる荷重
１３  静止摩擦荷重
１４  押動荷重
１５  突起形状
【図１】
0006507365.tif 000002
【図２】
0006507365.tif 000003
【図３】
0006507365.tif 000004
【図４】
0006507365.tif 000005
【図５】
0006507365.tif 000006